(57)【要約】【課題】  ディスクプレーヤのディスク搬送構造の簡単化、及びコンパクト化を図る構成であって、かつ、ディスク挿入口に手差されたディスクの信号面に損傷を与えたり埃等を付着させたりすることなくディスクを搬送できるようにする。【解決手段】  ディスクプレーヤ１のディスク挿入口２とディスク再生部３との間のディスク４を搬入又は搬出するディスク搬送機構５であって、ディスク４の搬入搬出時にディスク４の外周４ｃ近傍箇所を厚み方向に把持状態で保持する把持部１０と、ディスク４を把持する把持部１０を、その把持するディスク４をディスク挿入口２位置とディスク再生部３位置との間を駆動モータ２１によって移動させるリンク機構２０と、を備える。【選択図】        図１
2005243112.tif 000002
【特許請求の範囲】
【請求項１】
ディスクプレーヤのディスク挿入口とディスク再生部との間のディスクを搬入又は搬出するディスク搬送機構であって、
前記ディスクの搬入搬出時にディスクの外周近傍箇所を厚み方向に把持状態で保持する把持手段と、
前記ディスクを把持する把持手段を、その把持するディスクをディスク挿入口位置とディスク再生部位置との間を適宜駆動手段によって移動させる駆動搬送手段と、
を備えることを特徴とするディスク搬送機構。
【請求項２】
請求項１に記載のディスク搬送機構であって、
前記把持手段は、ディスクの面方向の挿入によりディスクを厚み方向から係合保持する構成となっており、反挿入方向に対する係合保持力はディスクの搬入搬出時に離脱しない保持力とされていることを特徴とするディスク搬送機構。
【請求項３】
請求項２に記載のディスク搬送機構であって、
前記把持手段は、前記ディスクの厚み寸法よりも拡開形成された断面コ字形状のストッパ部材と、該断面コ字形状のストッパ部材に回動可能に軸支されたカム部材と、該カム部材にディスクを厚み方向に挟込む係合保持力を発揮させる係合力附勢手段とを有し、カム部材はそのカム形状がディスクの反挿入方向の相対移動時に該ディスクに喰込む方向とされて配置されていることを特徴とするディスク搬送機構。
【発明の詳細な説明】
【技術分野】
【０００１】
本発明は、ディスク搬送機構に関する。詳しくは、ＣＤ、ＤＶＤ等のデータ記憶媒体として利用されるディスクを、ディスクプレーヤの挿入口位置とディスクの再生位置との間で搬送するディスク搬送機構に関する。
【背景技術】
【０００２】
一般に、ＣＤ、ＤＶＤ等のディスクを再生するディスクプレーヤには、ディスク挿入口に手差されたディスクを内部に吸込むようにして、これを再生可能な位置（ターンテーブル上）まで搬送するディスク搬送用の装置が設けられている。具体的には、挿入口の近傍位置において搬送ローラが回動自在に設けられており、ディスクを挿入口から所定の量だけ挿入すると、この挿入を感知して搬送ローラに駆動力が供給される。そして、ディスクの裏面と搬送ローラとの接触摩擦に伴う回動力によって、ディスクを挿入方向、或いは排出方向に搬送するようにしている（このときディスクの表面もローラ等の面形状によって支持された状態である）。
また、最近では、搬送ローラの配設位置を移動可能とし、ディスク回転時に搬送ローラを退避するように設定することで、ディスク挿入口からディスク再生部までの距離を短縮化できるようにしたものもある。
その他にも、上記した例に限らず、近年のディスクプレーヤは、車両に搭載したり、或いはコンピュータに組込んで機能させるため、軽量でかつコンパクトな設計にするための工夫が施されている。特に、ディスクプレーヤ全体の大きさを左右するディスク搬送用の装置に関しては、これまでに数多くの提案がなされており、例えば、後記特許文献１及び２が挙げられる。
【０００３】
【特許文献１】特開２００２−１１７６０２号公報
【特許文献２】特開平７−２１６６２号公報
【発明の開示】
【発明が解決しようとする課題】
【０００４】
しかしながら、上記従来の技術においては、ディスクを搬送するための搬送ローラをディスク再生時に移動させて退避させる場合には、搬送ローラを移動させるための機構が必要となる。すなわち、ディスクをディスク再生部まで搬送した後に、トリガ処理等を行って、搬送ローラを駆動機構により退避位置まで移動させることを別途行わなければならなかった。
また、いずれにしても、ディスクプレーヤには、搬送ローラを退避させるための退避スペースが必要となり、全体構造の大型化（例えば搬送ローラを上下方向に退避させると厚み方向に大型化される）を招くこととなった。
更に、ディスクを搬送ローラによって搬送する場合には、この両者の間には接触による摩擦が伴うため、ディスクの信号面を傷つけたり、ローラに付着したゴミや埃等の汚れが信号面に付着することがあり、信号の読取り時に支障をきたす恐れがあった。
【０００５】
本発明は、上記した問題を解決するものとして創案されたものであって、本発明が解決しようとする課題は、ディスクプレーヤのディスク搬送構造の簡単化、及びコンパクト化を図る構成であって、かつ、ディスク挿入口に手差されたディスクの信号面に損傷を与えたり埃等を付着させたりすることなくディスクを搬送できるようにすることである。
【課題を解決するための手段】
【０００６】
上記課題を解決するために、本発明のディスク搬送機構は次の手段をとる。
先ず、本発明の第１の発明は、ディスクプレーヤのディスク挿入口とディスク再生部との間のディスクを搬入又は搬出するディスク搬送機構であって、ディスクの搬入搬出時にディスクの外周近傍箇所を厚み方向に把持状態で保持する把持手段と、ディスクを把持する把持手段を、その把持するディスクをディスク挿入口位置とディスク再生部位置との間を適宜駆動手段によって移動させる駆動搬送手段と、を備えるものである。
この第１の発明によれば、ディスクは、搬入又は搬出時において、把持手段により外周の近傍箇所を厚み方向に把持された状態で保持される。また、ディスクを把持する把持手段は、駆動搬送手段の駆動手段によって、ディスクをディスク挿入口位置とディスク再生部位置との間を移動させるように搬送される。
【０００７】
次に、本発明の第２の発明は、上述した第１の発明において、把持手段は、ディスクの面方向の挿入によりディスクを厚み方向から係合保持する構成となっており、反挿入方向に対する係合保持力はディスクの搬入搬出時に離脱しない保持力とされているものである。
この第２の発明によれば、ディスクを面方向に挿入すると、ディスクは把持手段によって厚み方向から係合されて保持される。そして、これにより、ディスクの搬入又は搬出時に把持手段から離脱しない係合保持力がディスクの反挿入方向に対して作用する。
【０００８】
次に、本発明の第３の発明は、上述した第２の発明において、把持手段は、ディスクの厚み寸法よりも拡開形成された断面コ字形状のストッパ部材と、該断面コ字形状のストッパ部材に回動可能に軸支されたカム部材と、該カム部材にディスクを厚み方向に挟込む係合保持力を発揮させる係合力附勢手段とを有し、カム部材はそのカム形状がディスクの反挿入方向の相対移動時に該ディスクに喰込む方向とされて配置されているものである。
この第３の発明によれば、ディスクは、断面がコ字形状のストッパ部材と、このストッパ部材に対して回動が可能となるように軸支されたカム部材との間位置に挿入される。そして、係合力附勢手段は、挿入されたディスクを厚み方向に挟込むようにカム部材に係合保持力を発揮させる。これにより、カム部材は、挿入されたディスクに対してディスクの反挿入方向への相対的な移動時にディスク面内に喰込む方向に作用力を付与する。
【発明の効果】
【０００９】
本発明は上述した手段をとることにより、次の効果を得ることができる。
先ず、本発明の第１の発明によれば、従来の如くディスク搬送用のローラを用いることなく、簡単な構成によってディスクの搬送が行える。したがって、この搬送用ローラが不要となることで、使用時の配置スペースが省略できる。すなわち、ディスク挿入口とディスク再生部との間の距離を短くすることができる。また、搬送ローラを退避するためのスペース（主には上下方向への退避スペース）も不要となることで、装置全体を薄型化することができる。更に、ディスクの搬送時に、ディスクの信号面に接触する部位がないため、信号面に損傷を与えたり埃等を付着させたりすることなくディスクを搬送することができる。
更に、本発明の第２の発明によれば、ディスクを把持するための構成が駆動機構を必要としないため、構成を簡単にすることができる。また、把持状態にしたディスクは、ディスク挿入口とディスク再生部との間で搬入又は搬出するに際し、これを離脱させることなく安定的に搬送することができる。
更に、本発明の第３の発明は、カム形状の回動に伴って係合保持力を作用させるため、異なる厚みを有したディスクであっても、安定的に把持状態を保持することができる。
【発明を実施するための最良の形態】
【００１０】
以下に、本発明を実施するための最良の形態の実施例について、図面を用いて説明する。
【実施例１】
【００１１】
始めに、本発明の実施例１のディスク搬送機構５について図１〜図４に基づいて説明する。図１はディスク搬送機構５の概略を示す平面図、図２はディスク搬送機構５の主要部の部分拡大図、図３はディスク４の挿入前の状態における把持部１０を側面視した断面図、図４はディスク４の挿入後の状態における把持部１０を側面視した側面図である。
【００１２】
本実施例のディスク搬送機構５は、図１に良く示されるように、ディスクプレーヤ１のディスク挿入口２に手差されたディスク４をディスク再生部３まで搬入し、イジェクト時には、ディスク再生部３に位置するディスク４をディスク挿入口２まで搬出するためのものである。
具体的に述べると、ディスク搬送機構５は、ディスク４の搬入又は搬出時にディスク４の外周４ｃの近傍箇所を厚み方向に（ディスク４の表面４ａと裏面４ｂとを挟込むように）把持して保持する把持部１０と、駆動モータ２１により伝達される回動力（駆動力）によってディスク４を把持する把持部１０を移動させ、ディスク４をディスク挿入口２位置とディスク再生部３位置との間で移動させるリンク機構２０と、を有して構成されている。詳しくは、リンク機構２０は、回動中心２０ａを中心に回動して把持部１０を移動させるようになっている。
また、この他にも、ディスク搬送機構５は、異なる大きさのディスク４（例えば１２ｃｍディスクや８ｃｍディスクが良く知られている）に対しても、これを一定のディスク再生部３の位置まで搬送できるように、リンク機構２０の回動量の調整を行う切換え構成（図示しない）を備えている。更に、ディスク挿入口２にディスク４が手差されたことを検知して駆動モータ２１を始動状態にするセンサ等の構成（図示しない）も備えている。なお、これらの構成については、従来周知の手段を用いることができるので、詳細な説明を省略する。
ここで、把持部１０が本発明の把持手段に相当し、リンク機構２０が本発明の駆動搬送手段に相当し、駆動モータ２１が本発明の駆動手段に相当する。
【００１３】
次に、把持部１０の構成について詳述する。把持部１０は、図２〜図４に良く示されるように、断面がコ字形状に形成されたストッパ部材１１と、コ字形状の下辺１１ｂに配置されたエラストマー製のカム部材１２と、ストッパ部材１１及びカム部材１２に両端がそれぞれ係止されたトーションスプリング１３と、を有して構成されている。ここで、トーションスプリング１３が本発明の係合力附勢手段に相当する。
詳しくは、図３及び図４に良く示されるように、コ字形状のストッパ部材１１は、コ字形状を構成する上辺１１ａと下辺１１ｂとの離間寸法がディスク４の厚み寸法よりも拡開されて形成されている。
また、カム部材１２は、全体として軸心１２ａから表面部位１２ｂまでの寸法が滑らかに変化したカム形状とされており、所定の箇所において膨出した膨出部位１２ｄが形成されている。そして、カム部材１２の貫通された軸心１２ａには軸ピン１４が挿通されており、ストッパ部材１１の下辺１１ｂに軸支された状態とされている。これにより、カム部材１２は、ストッパ部材１１の下辺１１ｂにおいて断面方向（ストッパ部材１１のコ字形状の断面方向）に回動可能な状態とされている。
【００１４】
次に、図２に良く示されるように、トーションスプリング１３は、一端１３ａがカム部材１２の係合部位１２ｃに係止され他端１３ｂがストッパ部材１１の下辺１１ｂの係合部位１１ｃに係止されており、カム部材１２の回動に伴う変化量に応じた復元力（弾性による復元力）を作用させるようになっている。詳しくは、カム部材１２（エラストマー製）の係合部位１２ｃは、その弾性によってトーションスプリング１３の一端１３ａが食込んで係止された構成となっている。
また、カム部材１２の構成について具体的に述べると、図３に良く示されるように、トーションスプリング１３によって、膨出部位１２ｄがストッパ部材１１のコ字形状の内方（下辺１１ｂから上辺１１ａに向かう方）を向くように配設角度が設定されている。また、ディスク４を挿入（ディスク４を面方向に挿入）するとディスク４の外周４ｃがカム部材１２の膨出部位１２ｄに当接するようになっている。そして、ディスク４の挿入に伴う押圧力によってカム部材１２を回動させると、カム部材１２は、ディスク４の厚み寸法に応じて膨出部位１２ｄがディスク４の挿入方向に押送されながら回動する。これにより、カム部材１２には、この回動量（トーションスプリング１３の弾性変形量）に応じた復元力（回動方向の附勢力）が付与される。すなわち、カム部材１２は、この附勢力によって、挿入されたディスク４を厚み方向から挟込む（カム部材１２とストッパ部材１１の上辺１１ａとによって挟込む）係合保持力を作用させる。
【００１５】
ところで、上述したようにして、ディスク４が把持部１０に係合されて保持された状態（図４参照）では、ディスク４をディスク挿入口２とディスク再生部３との間で搬入又は搬出するために移動させても、ディスク４は把持部１０から離脱することはない。すなわち、図４に良く示されるように、ディスク４の搬入又は搬出時の移動に伴って、ディスク４に反挿入方向に作用力が働くと、トーションスプリング１３の附勢力の作用によって、カム部材１２の膨出部位１２ｄがディスク４の裏面４ｂ（外周４ｃ近傍）に喰込む方向に作用力を付与する。これにより、ディスク４を把持部１０から離脱させない大きさの係合保持力を作用させることができる。また、ディスク４の挿入方向に対して作用する係合保持力よりも、反挿入方向に対して作用する係合保持力の方が大きく作用する構成となっている。
【００１６】
続いて、本実施例のディスク搬送機構５の使用方法について説明する。
先ず、ディスク搬送機構５のリンク機構２０及び把持部１０は、図１に示されるように、把持部１０がディスク挿入口２側に配置された状態となっている。そして、ディスク挿入口２にディスク４を面方向に挿入するようにして手差すと、ディスク４の外周４ｃ近傍箇所が把持部１０によって厚み方向に把持された状態で保持される。
次に、ディスク４を更に挿入するように操作すると、センサ（図示しない）によってこの挿入が検知され駆動モータ２１が始動状態に切換えられる。そして、この駆動モータ２１の始動によりリンク機構２０は回動し、ディスク４を把持状態の把持部１０をディスク再生部３に向けて移動させる。詳しくは、リンク機構２０は回動中心２０ａを中心として回動する。このとき、把持部１０に把持状態のディスク４は、トーションスプリング１３の附勢力によりカム部材１２によって厚み方向に係合保持力を付与されている。したがって、この状態のディスク４に対し移動に伴う反挿入方向の作用力が付与されると、カム部材１２の膨出部位１２ｄがディスク４の裏面４ｂに食込む方向に作用力を付与するため、ディスク４は把持部１０から離脱することなくディスク再生部３まで安定して搬入される。
【００１７】
そして、ディスク４が所定量だけ搬入されてディスク再生部３まで到達すると、所定の機構が作動してディスク４の中央の部位がディスク再生部３にチャッキングされる。また、このチャッキングを検知すると、駆動モータ２１の駆動によりリンク機構２０を更に搬入方向（図１で見て上方向）に回動させ、ディスク４を把持状態の把持部１０を更に搬入方向に移動させる。これにより、ディスク４は把持部１０から離脱する。すなわち、ディスク４は、駆動モータ２１より供給される駆動力によって把持部１０に対する反挿入方向の作用力を付与され、把持部１０の係合保持力に抗して反挿入方向に相対移動する。そして、ディスク４が把持部１０から離脱し両者の間に隙間が形成されることにより、ディスク４が再生可能な状態となる。なお、ディスク４が再生可能な状態となると、駆動モータ２１は停止状態となる。
【００１８】
次に、ディスク４をイジェクトする方法について説明する。ディスク４がディスク再生部３に位置する状態（ディスク４の再生可能状態）において、イジェクト操作が行われると、前述した駆動モータ２１が逆回転してリンク機構２０を搬出方向（搬入方向の逆方向）に回動させ、把持部１０をディスク挿入口２に向けて移動させる。そして、把持部１０がディスク再生部３にあるチャッキング状態のディスク４の位置まで到達すると、ディスク４が把持部１０に挿入され、ディスク４の外周４ｃの近傍箇所が厚み方向に把持されて保持される。その後、所定の機構の作動によりディスク４のチャッキング状態が解除され、駆動モータ２１の駆動によりリンク機構２０が更に搬出方向に回動される。これにより、ディスク４を把持した状態の把持部１０が搬出方向に移動されて、ディスク４がディスク挿入口２から排出される。なお、ディスク４の排出が完了すると、駆動モータ２１は停止状態となる。
【００１９】
このように、本実施例のディスク搬送機構５は、ディスク４を厚み方向に把持した状態で保持する把持部１０と、駆動モータ２１によりこの把持部１０を移動可能なリンク機構２０とによって、ディスク４をディスク挿入口２とディスク再生部３との間で搬入又は搬出することができる。すなわち、従来の如くディスク搬送用の搬送ローラを用いることなく、このような簡単な構成によってディスク４の搬送が行える。したがって、搬送ローラが不要となることで、ディスク挿入口２からディスク再生部３までの寸法のうち搬送ローラを設定する寸法の分だけ短くすることができる。また、搬送ローラを退避するためのスペースも不要となるため、ディスクプレーヤ１全体の薄型化を図ることができる。また、ディスク４を搬送するに際し、従来のようにディスク４の信号面に搬送ローラが接触するといったことがない。したがって、ディスク４の信号面に損傷を与えたり埃等を付着させたりすることなくディスク４を搬送することができる。
【００２０】
また、本実施例では、把持部１０にカム部材１２を回動可能に設け、ディスク４を挿入する操作により、カム形状が回動してディスク４を厚み方向に挟込んで係合保持力を作用させる構成としている。したがって、ディスク４の厚み寸法に合わせてカム部材１２の回動量が適宜変化するため、異なる厚みを有したディスク４であっても、個々に安定した把持状態を得ることができる。また、ディスク４を把持するために大掛かりな駆動機構（ディスク４を厚み方向に把持するための駆動機構）が不要となるため、かかる構成が簡単となる。更に、把持部１０は、ディスク４の挿入方向への相対移動に対する係合保持力よりも、反挿入方向への相対移動に対する係合保持力の方が大きくなるような構成とされている。したがって、ディスク４を容易に把持状態とすることができ、かつ、ディスク４の搬送時にディスク４を把持部１０から離脱させることなく安定した搬送が行える。なお、ディスク４に作用する係合保持力の大きさは、トーションスプリング１３の弾性（バネ力）、カム部材１２の弾性、又はカム部材１２の形状を変化させることにより簡単に調整することができる。
【実施例２】
【００２１】
続いて、本発明の実施例２のディスク搬送機構６について図５に基づいて説明する。図５は、ディスク搬送機構６の使用状態を示す図である。なお、本実施例においては、実施例１のディスク搬送機構５と同様の構成及び作用を奏する箇所についての説明は省略し、相異する箇所について詳しく説明することにする。
【００２２】
本実施例のディスク搬送機構６は、本発明の把持手段に相当する断面コ字形状の把持部３０の下辺１１ｂにおいて、エラストマー製の係合突起３１が固設されている。この係合突起３１は、図５に良く示されるように断面扇形状に形成されており、把持部３０のコ字の開口した側から内方側に向けて滑らかに起立するようにして配置されている。
【００２３】
また、把持部３０は、ディスク４を面方向に挿入すると、係合突起３１と上辺１１ａとによってディスク４の外周４ｃ近傍箇所を厚み方向から挟込むようにして作用する。詳しくは、ディスク４の挿入に伴う押圧力により係合突起３１がディスク４の厚みによって弾性変形し、これにより、ディスク４には、係合突起３１の変形に応じた復元力（弾性力）が厚み方向に付与される。すなわち、把持部３０は、ディスク４の面方向の挿入によりディスク４を厚み方向から係合して保持する構成とされている。
そして、ディスク４が把持部３０に係合して保持された状態では、ディスク４をディスク挿入口２とディスク再生部３との間で搬入又は搬出するために移動させても、ディスク４は把持部３０から離脱することはない。すなわち、ディスク４の搬入又は搬出時の移動に伴って、ディスク４に反挿入方向に作用力が働くと、係合突起３１の弾性変形に伴う復元力の作用によって、係合突起３１が弾性変形を伴いながらディスク４の裏面４ｂ（外周４ｃ近傍）に喰込む（楔効果）方向に作用力を付与する。したがって、この作用により係合突起３１がディスク４に対して摩擦摺動に伴う抵抗力を付与し、ディスク４を把持部３０から離脱させない大きさの係合保持力が作用する。また、把持部３０は、ディスク４の挿入方向への相対移動に対する係合保持力よりも、反挿入方向への相対移動に対する係合保持力の方が大きくなるような構成とされている。
【００２４】
続いて、本実施例のディスク搬送機構６の使用方法について、説明する。先ず、ディスク挿入口２にディスク４を面方向に挿入するようにして手差すと、ディスク４の外周４ｃ近傍箇所が把持部３０によって厚み方向に把持状態で保持される。また、以降の使用方法については、実施例１の使用方法と重複するため省略する。そして、ディスク４が所定の量だけ搬入されてディスク再生部３まで到達すると、ディスク４の中央部位がディスク再生部３にチャッキングされ、ディスク４を把持状態の把持部３０が更に搬入方向に移動される。これにより、ディスク４は把持部３０から離脱する。すなわち、ディスク４は、駆動モータ２１より供給される駆動力によって把持部３０に対する反挿入方向の作用力を付与され、把持部３０の係合保持力に抗して反挿入方向に相対移動する。また、ディスク４のイジェクト操作は、上記した使用方法の逆順によって行われる。
【００２５】
このように、本実施例のディスク搬送機構６は、係合突起３１がエラストマー製から成る断面扇形状とされているため、ディスク４を容易に把持状態とすることができ、かつ、ディスク４の搬送時にディスク４を把持部１０から離脱させることなく安定した搬送が行える。なお、ディスク４に作用する係合保持力の大きさは、係合突起３１の弾性、又は形状を変化させることにより簡単に調整することができる。
【００２６】
以上、本発明の実施形態を２つの実施例について説明したが、本発明は上記実施例のほか各種の形態で実施できるものである。
例えば、実施例１において、カム部材１２をストッパ部材１１の下辺１１ｂに軸支されたものを示したが、これを上辺１１ａに軸支したものであってもよい。この場合であっても、上記実施例と同様の作用及び効果を得ることができる。また、実施例２において、エラストマー製の係合突起３１を同じく下辺１１ｂに固設したものを示したが、これも上辺１１ａに固設するようにしたものであっても構わない。
更に、実施例１及び実施例２において示した形態以外にも、例えば、断面コ字形状のストッパ部材１２に弾性素材を組込んで、ディスク４の挿入に伴って上辺１１ａ及び下辺１１ｂがディスク４の厚み方向に弾性変形する（相対的に弾性変位する）構成としたものであっても良い。このような構成によっても、ディスク４を離脱させない係合保持力を作用させることができる。
更に、実施例１及び実施例２におけるカム部材１２及び係合突起３１の形状については、特に限定されるものではなく、ディスク４の搬入又は搬出する際に、ディスク４を把持部１０，３０から離脱させない程度の係合保持力を作用させることのできるものであれば構わない。
更に、実施例１においては、トーションスプリング１３が設けられていない形態のものであっても構わない。すなわち、エラストマー製からなるカム部材が、挿入されたディスク４と常に接触するような大きさを有して形成されたものであれば、ディスク４の搬入又は搬出時の移動の際に、係合突起３１の弾性変形に伴う復元力の作用によって、係合突起３１が弾性変形を伴いながらディスク４の裏面４ｂ（外周４ｃ近傍）に喰込む（楔効果）方向に作用力を付与することができる。
更に、実施例１において、カム部材１２として、軸心１２ａに軸ピン１４が挿通されて、ストッパ部材１１の下辺１１ｂに軸支されたものを示したが、カム部材１２と軸ピン１４とを一体的に成形した形態（カム部材の軸方向の両端にピンが突出した形態）としてもよい。
【図面の簡単な説明】
【００２７】
【図１】第１実施例のディスク搬送機構の概略を示す平面図である。
【図２】ディスク搬送機構の主要部の部分拡大図である。
【図３】ディスクの挿入前状態における把持部を側面視した断面図である。
【図４】ディスクの挿入後状態における把持部を側面視した断面図である
【図５】第２実施例のディスク搬送機構の使用状態を示す図である。
【符号の説明】
【００２８】
１      ディスクプレーヤ
２      ディスク挿入口
３      ディスク再生部
４      ディスク
４ａ    表面
４ｂ    裏面
４ｃ    外周
５，６  ディスク搬送機構
１０    把持部（把持手段）
１１    ストッパ部材
１１ａ  上辺
１１ｂ  下辺
１１ｃ  係合部位
１２    カム部材
１２ａ  軸心
１２ｂ  表面部位
１２ｃ  係合部位
１２ｄ  膨出部位
１３    トーションスプリング（係合力附勢手段）
１３ａ  一端
１３ｂ  他端
１４    軸ピン
２０    リンク機構（駆動搬送手段）
２０ａ  回動中心
２１    駆動モータ（駆動手段）
３０    把持部（把持手段）
３１    係合突起
【図１】
2005243112.tif 000003
【図２】
2005243112.tif 000004
【図３】
2005243112.tif 000005
【図４】
2005243112.tif 000006
【図５】
2005243112.tif 000007